(57)【要約】【課題】  本発明は、付加データを含む３Ｄ立体映像を提供するためのディスプレイ装置および方法を提供することを技術的課題とする。【解決手段】  本発明に係るディスプレイ装置は、ディスプレイ部と、左眼映像および右眼映像が一つのフレームで構成された３Ｄ映像データを受信する受信部と、左眼映像および右眼映像の各々の解像度を変換する解像度変換部と、３Ｄ映像データに含まれた付加データを抽出し、抽出された付加データを映像処理して、右眼付加映像および左眼付加映像を生成し、変換された左眼映像および左眼付加映像とを結合し、右眼映像と右眼付加映像とを各々結合するように制御する制御部とを含む。それにより、フル３Ｄ立体映像とともにディスプレイされる字幕或いはＯＳＤのような付加データ関連の映像が画面を通じて正常にディスプレイできる。【選択図】  図２
2013141220.tif 000002
【特許請求の範囲】
【請求項１】
ディスプレイ部と、
左眼映像および右眼映像が一つのフレームで構成された３Ｄ映像データを受信する受信部と、
前記左眼映像および前記右眼映像の各々の解像度を変換する解像度変換部と、
前記３Ｄ映像データに含まれた付加データを抽出し、前記抽出された付加データを映像処理して、右眼付加映像および左眼付加映像を生成し、前記変換された左眼映像と前記左眼付加映像とを結合し、前記右眼映像と前記右眼付加映像とを各々結合するように制御する制御部と
を含むディスプレイ装置。
【請求項２】
前記付加データは、
字幕またはＯＳＤ（Ｏｎ  Ｓｃｒｅｅｎ  Ｄｉｓｐｌａｙ）データであることを特徴とする請求項１に記載のディスプレイ装置。
【請求項３】
前記３Ｄ映像データは、
前記左眼映像および前記右眼映像が左右に連結されて一つのフレームで構成されるサイドバイサイド（Ｓｉｄｅ−ｂｙ−Ｓｉｄｅ）映像データ、または、前記左眼映像および前記右眼映像が上下に連結されて一つのフレームで構成されるトップアンドボトム（Ｔｏｐ−ａｎｄ−Ｂｏｔｔｏｍ）映像データであることを特徴とする請求項１または２に記載のディスプレイ装置。
【請求項４】
前記解像度変換部は、
前記３Ｄ映像データから予め設定された領域に該当する領域上で、特定の色相パターンで構成される付加データを分離することを特徴とする請求項１に記載のディスプレイ装置。
【請求項５】
前記解像度変換部は、
前記３Ｄ映像データから特定の色相パターンで構成される領域に対する付加データを分離することを特徴とする請求項１に記載のディスプレイ装置。
【請求項６】
前記解像度変換部は、
前記３Ｄ映像データから停止映像で構成される付加データを分離することを特徴とする請求項１に記載のディスプレイ装置。
【請求項７】
前記解像度変換部は、
前記付加データの分離による前記３Ｄ映像データの左眼映像および右眼映像の各々の空き領域を検出する検出部と、
前記検出部から検出された左眼映像および右眼映像の各々の空き領域に該当する領域の映像データを前記左眼映像および前記右眼映像の各々の一方向に隣接した映像から獲得し、前記空き領域を復元する映像復元部と
を含むことを特徴とする請求項４乃至６のいずれか一項に記載のディスプレイ装置。
【請求項８】
ディスプレイ装置において３Ｄ映像を提供する方法において、
外部装置から左眼映像および右眼映像が一つのフレームで構成された３Ｄ映像データを受信するステップと、
前記左眼映像および前記右眼映像の各々の解像度を変換するステップと、
前記３Ｄ映像データに含まれた付加データを抽出するステップと、
前記抽出された付加データを映像処理して、右眼付加映像および左眼付加映像を生成するステップと、
前記変換された左眼映像と前記左眼付加映像とを結合し、前記変換された右眼映像と前記右眼付加映像とを結合してディスプレイするステップ
とを含む立体映像提供方法。
【請求項９】
前記付加データは、
字幕またはＯＳＤ（Ｏｎ  Ｓｃｒｅｅｎ  Ｄｉｓｐｌａｙ）データであることを特徴とする請求項８に記載の立体映像提供方法。
【請求項１０】
前記３Ｄ映像データは、
前記左眼映像および前記右眼映像が左右に連結されて一つのフレームで構成されるサイドバイサイド（Ｓｉｄｅ−ｂｙ−Ｓｉｄｅ）映像データ、または、前記左眼映像および前記右眼映像が上下に連結されて一つのフレームで構成されるトップアンドボトム（Ｔｏｐ−ａｎｄ−Ｂｏｔｔｏｍ）映像データであることを特徴とする請求項８または９に記載の立体映像提供方法。
【請求項１１】
前記解像度を変換するステップは、
前記３Ｄ映像データから予め設定された領域に該当する領域上で、特定の色相パターンで構成される付加データを分離することを特徴とする請求項８に記載の立体映像提供方法。
【請求項１２】
前記解像度を変換するステップは、
前記３Ｄ映像データから特定の色相パターンで構成される領域に対する付加データを分離することを特徴とする請求項８に記載の立体映像提供方法。
【請求項１３】
前記解像度を変換するステップは、
前記３Ｄ映像データから停止映像で構成される付加データを分離することを特徴とする請求項８に記載の立体映像提供方法。
【請求項１４】
前記付加データが分離された左眼映像および右眼映像の各々の一方向に隣接した映像から、前記付加データの分離による空き領域に対する映像を復元するステップを更に含むことを特徴とする請求項１１乃至１３のいずれか一項に記載の立体映像提供方法。
【請求項１５】
前記映像を復元するステップは、
前記左眼映像および前記右眼映像の各々の付加データに対する分離による空き領域を検出するステップと、
前記左眼映像および前記右眼映像の各々の空き領域に該当する領域の映像データを、前記左眼映像および前記右眼映像の各々の一方向に隣接した映像から獲得するステップと、
前記獲得した映像を用いて前記左眼映像および前記右眼映像の空き領域を復元するステップと
を含むことを特徴とする請求項１４に記載の立体映像提供方法。
【発明の詳細な説明】
【技術分野】
【０００１】
本発明は、ディスプレイ装置および方法に関し、より詳細には、付加データを含む３Ｄ立体映像を提供するディスプレイ装置および方法に関する。
【背景技術】
【０００２】
通常、サイドバイサイド（Ｓｉｄｅ−ｂｙ−Ｓｉｄｅ）映像またはトップアンドボトム（Ｔｏｐ−ａｎｄ−Ｂｏｔｔｏｍ）映像のような３Ｄ映像データは、左眼映像および右眼映像が左右または上下に連結されて一つのフレームで構成される。
【０００３】
従って、ディスプレイ装置は、外部装置からこのような３Ｄ映像データを受信してフル（Ｆｕｌｌ）３Ｄ立体映像に変換してディスプレイする。即ち、ディスプレイ装置は、３Ｄ映像データに含まれた左眼映像および右眼映像を２倍の大きさに拡大してディスプレイを行う。このように、ディスプレイ装置は、３Ｄ映像データを３Ｄ立体映像に変換してディスプレイするうえで、３Ｄ映像データに含まれた左眼映像および右眼映像の各々に含まれた字幕或いはＯＳＤ（Ｏｎ  Ｓｃｒｅｅｎ  Ｄｉｓｐｌａｙ）のような付加データも２倍の大きさに拡大させる。このように、左眼映像および右眼映像とともに、左眼映像および右眼映像の各々に含まれた付加データも２倍の大きさに拡大変換することにより、左眼映像および右眼映像に含まれた付加データは好適な形態でディスプレイすることができないという問題が生じる。
【０００４】
具体的には、左眼映像および右眼映像の字幕が含まれる場合、左眼映像および右眼映像に含まれた字幕が連続してディスプレイされるために、左眼映像の字幕は右側下段に配置され、右眼映像の字幕は左側下段に配置されるようになる。このように、左眼映像および右眼映像の各々に字幕が含まれた状態で、左眼映像および右眼映像を２倍の大きさに拡大してディスプレイする場合、画面上には左眼映像の字幕が右側下段にディスプレイされ、右眼映像の字幕は左側下段にディスプレイされる。従って、字幕の順が正しく配列されずに、入れ替わった状態でディスプレイされるという問題が生じる。
【先行技術文献】
【特許文献】
【０００５】
【特許文献１】韓国特開第２０１２−００５６６４７号公報
【特許文献２】韓国特開第２０１１−０１０９７３２号公報
【発明の概要】
【発明が解決しようとする課題】
【０００６】
そこで、本発明は、上記問題に鑑みてなされたものであり、本発明の目的とするところは、３Ｄ立体映像とともにディスプレイされる字幕或いはＯＤＳのような付加データ関連の映像が正常にディスプレイできるようにすることを目的とする。
【課題を解決するための手段】
【０００７】
前記目的を達成するための本発明の一実施形態に係るディスプレイ装置は、ディスプレイ部と、左眼映像および右眼映像が一つのフレームで構成された３Ｄ映像データを受信する受信部と、前記左眼映像および前記右眼映像の各々の解像度を変換する解像度変換部と、前記３Ｄ映像データに含まれた付加データを抽出し、前記抽出された付加データを映像処理して、右眼付加映像および左眼付加映像を生成し、前記変換された左眼映像と前記左眼付加映像とを結合し、前記右眼映像と前記右眼付加映像とを各々結合するように制御する制御部とを含む。
【０００８】
そして、前記付加データは、字幕またはＯＳＤ（Ｏｎ  Ｓｃｒｅｅｎ  Ｄｉｓｐｌａｙ）データであってよい。
【０００９】
なお、前記３Ｄ映像データは、前記左眼映像および前記右眼映像が左右に連結されて一つのフレームで構成されるサイドバイサイド（Ｓｉｄｅ−ｂｙ−Ｓｉｄｅ）映像データ、または、前記左眼映像および前記右眼映像が上下に連結されて一つのフレームで構成されるトップアンドボトム（Ｔｏｐ−ａｎｄ−Ｂｏｔｔｏｍ）映像データであってよい。
【００１０】
そして、前記解像度変換部は、前記３Ｄ映像データから予め設定された領域に該当する領域上で、特定の色相パターンで構成される付加データを分離してよい。
【００１１】
なお、前記解像度変換部は、前記３Ｄ映像データから特定の色相パターンで構成される領域に対する付加データを分離してよい。
【００１２】
そして、前記解像度変換部は、前記３Ｄ映像データから停止映像で構成される付加データを分離してよい。
【００１３】
なお、前記解像度変換部は、前記付加データの分離による前記３Ｄ映像データの左眼映像および右眼映像の各々の空き領域を検出する検出部と、前記検出部から検出された左眼映像および右眼映像の各々の空き領域に該当する領域の映像データを前記左眼映像および前記右眼映像の各々の一方向に隣接した映像から獲得し、前記空き領域を復元する映像復元部とを含んでよい。
【００１４】
一方、前記目的を達成するための本発明の別の実施形態に係るディスプレイ装置において３Ｄ映像を提供する方法において、前記方法は、外部装置から左眼映像および右眼映像が一つのフレームで構成された３Ｄ映像データを受信するステップと、前記左眼映像および前記右眼映像の各々の解像度を変換するステップと、前記３Ｄ映像データに含まれた付加データを抽出するステップと、前記抽出された付加データを映像処理して、右眼付加映像および左眼付加映像を生成するステップと、前記変換された左眼映像と前記左眼付加映像とを結合し、前記変換された右眼映像と前記右眼付加映像とを結合してディスプレイするステップとを含む。
【００１５】
そして、前記付加データは、字幕またはＯＳＤ（Ｏｎ  Ｓｃｒｅｅｎ  Ｄｉｓｐｌａｙ）データであってよい。
【００１６】
なお、前記３Ｄ映像データは、前記左眼映像および前記右眼映像が左右に連結されて一つのフレームで構成されるサイドバイサイド（Ｓｉｄｅ−ｂｙ−Ｓｉｄｅ）映像データ、または、前記左眼映像および前記右眼映像が上下に連結されて一つのフレームで構成されるトップアンドボトム（Ｔｏｐ−ａｎｄ−Ｂｏｔｔｏｍ）映像データであってよい。
【００１７】
そして、前記解像度を変換するステップは、前記３Ｄ映像データから予め設定された領域に該当する領域上で、特定の色相パターンで構成される付加データを分離してよい。
【００１８】
なお、前記解像度を変換するステップは、前記３Ｄ映像データから特定の色相パターンで構成される領域に対する付加データを分離してよい。
【００１９】
そして、前記解像度を変換するステップは、前記３Ｄ映像データから停止映像で構成される付加データを分離してよい。
【００２０】
なお、前記付加データが分離された左眼映像および右眼映像の各々の一方向に隣接した映像から、前記付加データの分離による空き領域に対する映像を復元するステップを更に含んでよい。
【００２１】
そして、前記映像を復元するステップは、前記左眼映像および前記右眼映像の各々の付加データに対する分離による空き領域を検出するステップと、前記左眼映像および前記右眼映像の各々の空き領域に該当する領域の映像データを、前記左眼映像および前記右眼映像の各々の一方向に隣接した映像から獲得するステップと、前記獲得した映像を用いて前記左眼映像および前記右眼映像の空き領域を復元するステップとを含んでよい。
【発明の効果】
【００２２】
以上説明したように、本発明によれば、本発明に係る３Ｄ立体映像を提供するディスプレイ装置および方法は、外部装置から受信された３Ｄ映像データに含まれた付加データを分離した後、フル３Ｄ立体映像に変換する。その後、変換された３Ｄ立体映像に付加データを結合することにより、フル３Ｄ立体映像とともにディスプレイされる字幕或いはＯＳＤのような付加データ関連の映像が画面を通じて正常にディスプレイできるようになる。
【図面の簡単な説明】
【００２３】
【図１】一般的なディスプレイ装置で３Ｄ立体映像をディスプレイする例示である。
【図２】本発明の一実施形態に係るディスプレイ装置のブロック図である。
【図３】本発明の一実施形態に係るディスプレイ装置で３Ｄ立体映像とともに付加データをディスプレイする例示である。
【図４】本発明の別の実施形態に係るディスプレイ装置で３Ｄ立体映像とともに付加データをディスプレイする例示である。
【図５】本発明の一実施形態に係るディスプレイ装置で付加データを含む３Ｄ立体映像を提供する方法のフローチャートである。
【図６】本発明の一実施形態に係るディスプレイ装置で３Ｄ映像データの左眼映像および右眼映像の空き領域に対する映像復元のフローチャートである。
【発明を実施するための形態】
【００２４】
以下に添付図面を参照しながら、本発明の好適な実施形態について詳細に説明する。
【００２５】
図１は、一般的なディスプレイ装置で３Ｄ立体映像をディスプレイする例示である。
【００２６】
図１に示すように、ディスプレイ装置は、外部装置からサイドバイサイド（Ｓｉｄｅ−ｂｙ−Ｓｉｄｅ）またはトップアンドボトム（Ｔｏｐ−ａｎｄ−Ｂｏｔｔｏｍ）映像に関連する３Ｄ映像データが受信されると、受信した３Ｄ映像データをフル（Ｆｕｌｌ）３Ｄ立体映像に変換する。このように、サイドバイサイドまたはトップアンドボトム映像に関連する３Ｄ映像データは、左眼映像および右眼映像が一つのフレームで構成されるデータである。このような左眼映像および右眼映像は実際の画面にディスプレイされるサイズより縮小されていて、ディスプレイ装置は実際の画面で左眼映像および右眼映像をフル３Ｄ立体映像で出力するためには、サイズが縮小された左眼映像および右眼映像の各々を２倍のサイズに拡大変換してディスプレイを行う。
【００２７】
一方、左眼映像および右眼映像に字幕のような付加データが含まれている場合、ディスプレイ装置は、左眼映像および右眼映像を拡大させることにより、付加データも同時に拡大される。このように、付加データも左眼映像および右眼映像に対応して拡大されることにより、左眼映像および右眼映像に含まれた付加データの配置が入れ替わってディスプレイされるという問題が生じる。
【００２８】
図示のように、３Ｄ映像データ１００の左眼映像１１０には、“Ｈｏｗ  ｔｏ  ｔｒ”の付加データ１１１が含まれてよく、右眼映像１２０には、“ａｉｎ  Ｄｒａｇｏｎ”の付加データ１２１が含まれてよい。このような付加データを各々含む左眼映像１１０および右眼映像１２０に対する３Ｄ映像データ１００が外部装置から受信されると、ディスプレイ装置は３Ｄ映像データに含まれた左眼映像１１０および右眼映像１２０の各々を２倍のサイズに拡大してディスプレイを行う。
【００２９】
このように、左眼映像１１０および右眼映像１２０を２倍のサイズに拡大変換する場合、左眼映像１１０および右眼映像１２０の各々に含まれた付加データ１１１、１２１も２倍のサイズに拡大変換される。従って、画面上にディスプレイされる付加データが異常に配置される。即ち、左眼映像１１０に含まれた“Ｈｏｗ  ｔｏ  ｔｒ”と右眼映像１２０に含まれた“ａｉｎ  Ｄｒａｇｏｎ”とが結合され、”Ｈｏｗ  ｔｏ  ｔｒａｉｎ  Ｄｒａｇｏｎ”という付加データが画面の中央下段に配置されるべきである。しかし、左眼映像１１０および右眼映像１２０の各々に含まれた付加データ１１１、１２１も２倍のサイズに拡大されることにより、画面上にディスプレイされる“ａｉｎ  Ｄｒａｇｏｎ”の付加データ１１１は画面の左側下段に配置され、“ａｉｎ  Ｄｒａｇｏｎ”の付加データ１２１は画面の右側下段に配置される。従って、付加データが正常にディスプレイできなくなるという問題が生じるようになる。
【００３０】
これまで、従来のディスプレイ装置から受信されたサイドバイサイドまたはトップアンドボトム映像に関連する３Ｄ映像データの付加データをディスプレイする場合、付加データが異常にディスプレイされるという問題について詳細に説明してきた。
【００３１】
以下においては、本発明に係るディスプレイ装置から受信されたサイドバイサイドまたはトップアンドボトム映像に関連する３Ｄ映像データの付加データを正常にディスプレイする動作について詳細に説明する。
【００３２】
図２は、本発明の一実施形態に係るディスプレイ装置のブロック図である。
【００３３】
図２に示すように、ディスプレイ装置は、受信部２１０と、解像度変換部２２０と、制御部２３０およびディスプレイ部２４０を含む。
【００３４】
受信部２１０は、左眼映像および右眼映像が一つのフレームで構成された３Ｄ映像データを受信する。ここで、３Ｄ映像データは、サイドバイサイド映像データまたはトップアンドボトム映像データが望ましい。サイドバイサイドまたはトップアンドボトムの映像データは、３Ｄ映像データを伝送する方式として、より具体的には、サイドバイサイド映像データは左眼映像および右眼映像が左右に配置されて一つのフレームで構成されることをいう。そして、トップアンドボトム映像データは左眼映像および右眼映像が上下に配置されて一つのフレームで構成されることをいう。
【００３５】
従って、外部装置は、サイドバイサイド映像データまたはトップアンドボトム映像データの伝送方式を通じて、左眼映像および右眼映像が左右または上下に配置されて一つのフレームで構成された３Ｄ映像データをディスプレイ装置側に伝送することができる。このような３Ｄ映像データが受信部２１０を介して受信されると、解像度変換部２２０は受信された３Ｄ映像データに付加データが含まれているか否かを判断する。判断の結果、３Ｄ映像データに付加データが含まれていると、解像度変換部２２０は３Ｄ映像データに含まれた付加データを分離する。その後、解像度変換部２２０は、付加データが分離された３Ｄ映像データの解像度を変換する。ここで、付加データは字幕またはＯＳＤデータであることが望ましい。
【００３６】
具体的には、外部装置は左眼映像および右眼映像を含む３Ｄ映像データに付加データを含みディスプレイ装置側に伝送してよい。従って、解像度変換部２２０は、外部装置から受信された３Ｄ映像データに付加データが含まれているかをチェックする。チェックの結果、３Ｄ映像データの左眼映像および右眼映像に付加データが含まれているとされると、解像度変換部２２０は左眼映像および右眼映像に含まれた付加データを左眼映像および右眼映像から分離する。
【００３７】
本発明の更なる態様に従って、解像度変換部２２０は外部装置から受信される３Ｄ映像データから予め設定された領域に該当する領域上で、特定の色相パターンで構成される付加データを分離してよい。一つの実施形態では、３Ｄ映像データの左眼映像および右眼映像には字幕に関連する付加データが含まれてよい。このような字幕は、白を基調とする２Ｄ映像データとして、動画をディスプレイする画面の下段或いは右側面に配置されてディスプレイされてよい。従って、解像度変換部２２０は、受信された３Ｄ映像データの左眼映像および右眼映像から画面の下段或いは右側面に該当する領域上で、白を基調とする字幕を検出することができる。このように、左眼映像および右眼映像に含まれた字幕が検出されると、解像度変換部２２０は検出された字幕を左眼映像および右眼映像から各々分離させてよい。
【００３８】
本発明の更なる態様に従って、解像度変換部２２０は受信された３Ｄ映像データから特定の色相パターンで構成される領域に対する付加データを分離することができる。一つの実施形態では、３Ｄ映像データの左眼映像および右眼映像には字幕に関連する付加データが含まれてよい。例えば、動画を再生する画面の比率は１６：９或いは４：３であってよく、動画が再生される領域を除く残りの領域、即ち、上側と下側領域は、黒色パターンで構成されてよい。そして、字幕は下側領域の黒色パターン領域にディスプレイされてよい。従って、解像度変換部２２０は受信された３Ｄ映像データの左眼映像および右眼映像から黒色パターンで構成された領域を検出できる。このように、左眼映像および右眼映像から黒色パターンで構成される領域が検出されると、解像度変換部２２０は検出された領域を左眼映像および右眼映像から各々分離させてよい。
【００３９】
本発明の更なる態様に従って、解像度変換部２２０は受信された３Ｄ映像データから停止映像で構成される付加データを分離することができる。一つの実施形態では、３Ｄ映像データの左眼映像および右眼映像には字幕に関連する付加データが含まれてよく、このような字幕は停止映像に関連する２Ｄ映像データであってよい。従って、解像度変換部２２０は受信された３Ｄ映像データの左眼映像および右眼映像から停止映像に関連する２Ｄ映像データを検出することができる。このように、左眼映像および右眼映像から停止映像に関連する２Ｄ映像データが検出されると、解像度変換部２２０は検出された停止映像に関連する２Ｄ映像データを左眼映像および右眼映像から各々分離させてよい。
【００４０】
上述のように、解像度分離部２２０は受信された３Ｄ映像データの左眼映像および右眼映像から付加データを分離させた後、付加データが分離された左眼映像および右眼映像の解像度を変換する。即ち、解像度変換部２２０は、左眼映像および右眼映像の各々に含まれた付加データを分離することにより発生した空き領域に対する映像を復元した後、復元された左眼映像および右眼映像のサイズを２倍の大きさに拡大変換してフル３Ｄ立体映像に変換する。このような解像度変換部２２０は、検出部２２１および映像復元部２２２で達成することができる。
【００４１】
検出部２２１は、３Ｄデータの左眼映像および右眼映像の各々に含まれた付加データを分離することにより生じる空き領域を検出する。一つの実施形態では、解像度変換部２２０は、３Ｄ映像データの左眼映像および右眼映像から画面の下段領域に白色パターンでディスプレイされるように設定された字幕に関連する付加データを検出し、左眼映像および右眼映像から分離することができる。このように、左眼映像および右眼映像から付加データが検出されると、検出部２２１は付加データ検出による左眼映像および右眼映像の空き領域を検出する。
【００４２】
検出部２２１を介して左眼映像および右眼映像の空き領域が検出されると、映像復元部２２２は左眼映像および右眼映像の各々の空き領域に該当する領域の映像データを左眼映像および右眼映像の各々の一方向に隣接した映像から獲得して、空き領域を復元する。具体的には、映像復元部２２２は、左眼映像の空き領域を復元するために、左眼映像とともに３Ｄ映像データに含まれる右眼映像を利用することができる。例えば、検出部２２１を介して左眼映像の空き領域が右側下段であると検出されると、映像復元部２２２は右眼映像を追跡して左眼映像の右側下段領域を右眼映像の右側下段領域に該当する映像に復元する。
【００４３】
一方、映像復元部２２２は、右眼映像の空き領域を復元するために、右眼映像とともに３Ｄ映像データに含まれる左眼映像を利用することができる。例えば、検出部２２１を介して右眼映像の空き領域が左側下段であると検出されると、映像復元部２２２は左眼映像を追跡して右眼映像の左側下段領域を右眼映像の右側下段領域に該当する映像に復元する。
【００４４】
しかし、本発明はそれに限定されず、映像復元部２２２は３Ｄ映像データが入力される前に入力される３Ｄ映像データ、或いは、後で入力される３Ｄ映像データの左眼映像および右眼映像を用いて検出部２２１から検出された左眼映像および右眼映像の空き領域を復元することができる。
【００４５】
このように、映像復元部２２２を介して左眼映像および右眼映像の空き領域に対して代替映像への復元が完了すると、解像度変換部２２０は復元された左眼映像および右眼映像の解像度を変換してフル３Ｄ立体映像を生成することができる。解像度変換部２２０を介して左眼映像および右眼映像の解像度を変換させ、フル３Ｄ立体映像が生成されると、制御部２３０は左眼映像および右眼映像の各々から分離させた付加データを３Ｄ立体映像に結合してディスプレイ装置２４０を介してディスプレイされるように制御する。
【００４６】
具体的には、制御部２３０は３Ｄ映像データに含まれた付加データを抽出し、抽出された付加データを映像処理して右眼付加映像および左眼付加映像を生成する。その後、制御部２３０は、解像度が変換された左眼映像に左眼付加映像を結合し、なお、解像度が変換された右眼映像に右眼付加映像を結合し、ディスプレイ部２４０を介してディスプレイされるように制御する。
【００４７】
このように、本発明に係るディスプレイ装置は、外部装置から受信された３Ｄ映像データに対するフル３Ｄ立体映像をディスプレイするうえで、３Ｄ映像データの左眼映像および右眼映像の各々に含まれる付加データを分離した後、フル３Ｄ立体映像に結合してディスプレイを行う。従って、３Ｄ映像データの左眼映像および右眼映像の各々に含まれる付加データが画面に異常にディスプレイされるという問題を解消することができる。
【００４８】
以下では、より多様な実施形態により、本発明に係るディスプレイ装置でフル３Ｄ立体映像とともに付加データが正常にディスプレイされるように処理する動作について説明する。
【００４９】
図３は、本発明の一実施形態に係るディスプレイ装置で３Ｄ立体映像とともに付加データをディスプレイする例示である。
【００５０】
図３に示すように、ディスプレイ装置は外部装置からサイドバイサイド映像データまたはトップアンドボトム映像データの伝送方式により、左眼映像３１０および右眼映像３２０が左右または上下に配置されて一つのフレームで構成される３Ｄ映像データ３００を受信する。本発明では、サイドバイサイド映像データの伝送方式により、左眼映像３１０および右眼映像３２０が左右に配置されて一つのフレームで構成された３Ｄ映像データ３００についてのみ説明する。
【００５１】
このように、左眼映像３１０および右眼映像３２０が左右に配置されて一つのフレームで構成される３Ｄ映像データ３００が受信されると、ディスプレイ装置は、左眼映像３１０および右眼映像３２０の各々に字幕３１１、３２１が含まれているかをチェックし、左眼映像３１０および右眼映像３２０から字幕３１１、３２１を分離する。一つの実施形態では、左眼映像３１０に含まれた字幕３１１は、左眼映像３１０の右側下段に形成され、字幕３１１の色相は白を基調としている。そして、右眼映像３２０に含まれる字幕３２１は右眼映像３２０の左側下段に形成され、字幕３２１の色相は白を基調としている。このような条件により、ディスプレイ装置は左眼映像３１０および右眼映像３２０の各々に含まれた字幕３１１、３２１を左眼映像３１０および右眼映像３２０から分離できる。
【００５２】
その後、ディスプレイ装置は、左眼映像３１０および右眼映像３２０の各々に含まれた字幕３１１、３２１を分離することにより発生した空き領域３１３、３２３を検出する。左眼映像３１０および右眼映像３２０の各々に対する空き領域３１３、３２３が検出されると、ディスプレイ装置は右眼映像３２０から左眼領域３１０の空き領域３１３に対応する領域を追跡する。そして、ディスプレイ装置は、左眼映像３１０から右眼領域３２０の空き領域３２３に対応する領域を追跡する。その後、ディスプレイ装置は、左眼領域３１０および右眼領域３２０の空き領域３１３、３２３に対応して追跡された領域に該当する映像を用いて、空き領域３１３、３２３を復元する。その後、ディスプレイ装置は、空き領域３１３、３２３が復元された左眼映像３１０および右眼映像３２０の解像度を２倍のサイズに拡大変換して、フル３Ｄ立体映像を生成する。左眼映像３１０および右眼映像３２０に対するフル３Ｄ立体映像が生成されると、ディスプレイ装置は、左眼映像３１０および右眼映像３２０から分離した字幕３１１、３２１を結合する。従って、ディスプレイ装置は、左眼映像３１０および右眼映像３２０に対するフル３Ｄ立体映像と左眼映像３１０および右眼映像３２０に含まれた字幕３１１、３２１に対する連結字幕３３０を画面上にディスプレイできる。
【００５３】
図４は、本発明の別の実施形態に係るディスプレイ装置で３Ｄ立体映像とともに付加データをディスプレイする例示である。
【００５４】
図４に示すように、ディスプレイ装置は外部装置から左眼映像４１０および右眼映像４２０が左右に配置されて一つのフレームで構成される３Ｄ映像データ４００を受信することができる。このような３Ｄ映像データ４００が受信されると、ディスプレイ装置は、左眼映像４１０および右眼映像４２０の各々に字幕４１１、４２１が含まれているかをチェックし、左眼映像４１０および右眼映像４２０から字幕４１１、４２１を分離する。一つの実施形態では、左眼映像４１０および右眼映像４２０に含まれる字幕４１１、４２１はフル３Ｄ立体映像が再生される領域を除く残りの領域であってよく、その残りの領域は黒色パターンで構成されてよい。このような条件により、ディスプレイ装置は左眼映像４１０および右眼映像４２０から黒色パターンで構成された領域を、左眼映像４１０および右眼映像４２０から分離できる。
【００５５】
その後、ディスプレイ装置は、黒色パターンで構成された領域を除く残りの左眼映像４１０および右眼映像４２０の解像度を２倍のサイズに拡大変換してフル３Ｄ立体映像を生成する。左眼映像４１０および右眼映像４２０に対する３Ｄフル立体映像が生成されると、ディスプレイ装置は、左眼映像４１０および右眼映像４２０から分離した黒色パターン領域４１１、４２１をフル３Ｄ立体映像に結合してディスプレイする。それにより、左眼映像４１０および右眼映像４２０の黒色パターン領域４１１、４２１に含まれた字幕は、画面上に正常にディスプレイされる。
【００５６】
これまで、多様な実施形態を通じて本発明に係るディスプレイ装置でフル３Ｄ立体映像と付加データをディスプレイする動作について詳細に説明してきた。以下では、本発明に係るディスプレイ装置で付加データを含むフル３Ｄ立体映像を提供する方法について詳細に説明する。
【００５７】
図５は、本発明の一実施形態に係るディスプレイ装置で付加データを含む３Ｄ立体映像を提供する方法のフローチャートである。
【００５８】
図５に示すように、ディスプレイ装置は外部装置から左眼映像および右眼映像が一つをフレームで構成された３Ｄ映像データを受信する（Ｓ５１０）。ここで、３Ｄ映像データは、サイドバイサイド映像データまたはトップアンドボトム映像データであることが望ましい。サイドバイサイドまたはトップアンドボトムの映像データは、３Ｄ映像データを伝送する方式として、より具体的には、サイドバイサイド映像データは左眼映像および右眼映像が左右に配置されて一つのフレームで構成されることをいう。そして、トップアンドボトム映像データは左眼映像および右眼映像が上下に配置されて一つのフレームで構成されることをいう。
【００５９】
このような３Ｄ映像データが受信されると、ディスプレイ装置は受信された３Ｄ映像データの左眼映像および右眼映像の各々に付加データが含まれているか否かをチェックする（Ｓ５２０）。チェックの結果、３Ｄ映像データの左眼映像および右眼映像の各々に付加データが含まれていないとされると、ディスプレイ装置は、３Ｄ映像データの左眼映像および右眼映像の解像度を２倍のサイズに拡大変換する（Ｓ５３０）。その後、ディスプレイ装置は、２倍のサイズに拡大変換された左眼映像および右眼映像をフル３Ｄ立体映像で生成して画面にディスプレイする（Ｓ５４０）。
【００６０】
一方、チェックの結果、３Ｄ映像データの左眼映像および右眼映像の各々に付加データが含まれているとされると、ディスプレイ装置は左眼映像および右眼映像に含まれた付加データを分離する（Ｓ５５０）。一実施形態に従って、ディスプレイ装置は、外部装置から受信される３Ｄ映像データから予め設定された領域に該当する領域上で特定の色相パターンで構成される付加データを分離できる。例えば、３Ｄ映像データの左眼映像および右眼映像には字幕に関連する付加データが含まれてよい。このような字幕は、図３のように、左眼映像の右側下段および右眼映像の左側下段に配置され、色相は白を基調としてよい。従って、ディスプレイ装置は、左眼映像の右側下段および右眼映像の左側下段で白を基調とする字幕を検出して分離できる。
【００６１】
別の実施形態において、ディスプレイ装置は、受信された３Ｄ映像データから特定の色相パターンで構成される領域に対する付加データを分離できる。図４に示すように、左眼映像および右眼映像に含まれる字幕は、フル３Ｄ立体映像が再生される領域を除く残りの領域に形成されてよく、その残りの領域は黒色パターンで構成されてよい。このような条件により、ディスプレイ装置は左眼映像および右眼映像から黒色パターンで構成される領域を左眼映像および右眼映像から分離できる。
【００６２】
更に別の実施形態において、ディスプレイ装置は、受信された３Ｄ映像データから停止映像で構成された付加データを分離できる。例えば、３Ｄ映像データの左眼映像および右眼映像には字幕に関連する付加データが含まれてよく、このような字幕は停止映像に関連する２Ｄ映像データであってよい。従って、ディスプレイ装置は、３Ｄ映像データの左眼映像および右眼映像から停止映像に関連する付加データを検出し、その検出された付加データを左眼映像および右眼映像から分離できる。
【００６３】
このように、３Ｄ映像データの左眼映像および右眼映像は、付加データが分離されると、ディスプレイ装置は左眼映像および右眼映像から付加データを分離することにより発生した空き領域に対する映像復元を行う（Ｓ５６０）。このように、ディスプレイ装置で、３Ｄ映像データの左眼映像および右眼映像の空き領域に対する映像復元は、図６を通じて達成することができる。
【００６４】
図６は、本発明の一実施形態に係るディスプレイ装置で３Ｄ映像データの左眼映像および右眼映像の空き領域に対する映像復元のフローチャートである。
【００６５】
図６に示すように、ディスプレイ装置は、左眼映像および右眼映像に含まれた付加データが分離されると、左眼映像および右眼映像の各々の付加データに対する分離による空き領域を検出する（Ｓ６１０）。空き領域が検出されると、ディスプレイ装置は左眼映像および右眼映像の各々の空き領域に該当する領域の映像データを左眼映像および右眼映像の各々の一方向に隣接する映像から獲得する（Ｓ６２０）。その後、ディスプレイ装置は獲得した映像を用いて左眼映像および右眼映像の空き領域を復元する（Ｓ６３０）。具体的には、ディスプレイ装置は、左眼映像の空き領域を復元するために、左眼映像とともに３Ｄ映像データに含まれる右眼映像を利用することができる。例えば、左眼映像の空き領域が右側下段であると検出されると、ディスプレイ装置は右眼映像を追跡して左眼映像の右側下段領域を右眼映像の右側下段領域に該当する映像に復元する。
【００６６】
一方、ディスプレイ装置は、右眼映像の空き領域を復元するために、右眼映像とともに３Ｄ映像データに含まれる左眼映像を利用することができる。例えば、右眼映像の空き領域が左側下段であると検出されると、ディスプレイ装置は左眼映像を追跡して右眼映像の左側下段領域を右眼映像の右側下段領域に該当する映像に復元する。
【００６７】
しかし、本発明はそれに限定されず、ディスプレイ装置は３Ｄ映像データが入力される前に入力される３Ｄ映像データ、或いは、後で入力される３Ｄ映像データの左眼映像および右眼映像を用いて、ステップＳ６１０を通じて検出された左眼映像および右眼映像の空き領域を復元することができる。
【００６８】
このように、左眼映像および右眼映像の空き領域が復元されると、ディスプレイ装置は復元された左眼映像および右眼映像の解像度を変換する（Ｓ５７０）。具体的には、ディスプレイ装置は、空き領域が復元された左眼映像および右眼映像の解像度の大きさを２倍の大きさに変換してフル３Ｄ立体映像を生成する。その後、ディスプレイ装置は、２倍の大きさに解像度を変換させて生成されたフル３Ｄ立体映像にステップＳ５５０を通じて分離された左眼映像および右眼映像の字幕を結合して画面上にディスプレイする（Ｓ５８０）。
【００６９】
具体的には、ディスプレイ装置は、３Ｄ映像データに含まれた付加データを抽出し、抽出された付加データを映像処理して右眼付加映像および左眼付加映像を生成する。その後、ディスプレイ装置は解像度が変換された左眼映像に左眼付加映像を結合し、解像度が変換された右眼映像に右眼付加映像を結合して画面上にディスプレイする。
【００７０】
このように、本発明により、３Ｄ映像データの左眼映像および右眼映像の各々に含まれる付加データが画面上で異常にディスプレイされるという問題点を解決することができる。
【００７１】
これまで、本発明に対して好適な実施形態に着目して説明してきた。
【００７２】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範囲内において、各種の変更例または修正例に想到し得ることは明らかであり、これらについても、当然に本発明の技術的範囲に属するものと了解される。
【符号の説明】
【００７３】
２１０  受信部
２２０  解像度変換部
２２１  検出部
２２２  映像復元部
２３０  制御部
２４０  ディスプレイ部
【図１】
2013141220.tif 000003
【図２】
2013141220.tif 000004
【図３】
2013141220.tif 000005
【図４】
2013141220.tif 000006
【図５】
2013141220.tif 000007
【図６】
2013141220.tif 000008